(57)【要約】      （修正有）【目的】指紋認証により施錠・解錠できるキャリーケース用施錠装置を提供する。【解決手段】キャリーケース用施錠装置９において、マスターキー又はユーザーキーで施錠・解錠可能に構成されたＴＳＡロックであって、鍵穴１０を有するＴＳＡロックと、指紋認証により施錠・解錠可能に構成された指紋認証ロックであって、指紋認証窓１２及び指紋認証センサを有する指紋認証ロックと、を備え、指紋認証センサは、指紋認証窓に人の手指が当接したときにその指紋を読み取るように構成されている。【選択図】図５
0003214831.tif 000002
【実用新案登録請求の範囲】
【請求項１】
キャリーケース用施錠装置において、
マスターキー又はユーザーキーで施錠・解錠可能に構成されたＴＳＡロックであって、鍵穴を有するＴＳＡロックと、
指紋認証により施錠・解錠可能に構成された指紋認証ロックであって、指紋認証窓及び指紋認証センサを有する指紋認証ロックと、
を備え、
上記指紋認証センサは、上記指紋認証窓に人の手指が当接したときにその指紋を読み取るように構成されていることを特徴とする、キャリーケース用施錠装置。
【請求項２】
上記指紋認証による施錠を上記マスターキーと上記鍵穴を使って解錠することができるように、上記ＴＳＡロックと上記指紋認証ロックとが連関して構成されていることを特徴とする請求項１に記載のキャリーケース用施錠装置。
【請求項３】
上記指紋認証による施錠を上記ユーザーキーと上記鍵穴を使って解錠することができるように、上記ＴＳＡロックと上記指紋認証ロックとが連関して構成されていることを特徴とする請求項１に記載のキャリーケース用施錠装置。
【考案の詳細な説明】
【技術分野】
【０００１】
本考案は、キャリーケース用施錠装置に関し、詳しくは、ＴＳＡロックと指紋認証ロックの２種類のロック機構を兼ね備えたキャリーケース用施錠装置に関する。
【背景技術】
【０００２】
交通機関の発達に伴い、キャリーケースを使用して旅行をする機会が多くなっている。キャリーケースは、概して、蓋側シェル及び身側シェル、キャリーケースを牽引する際に使用されるキャリーハンドル、該キャリーハンドルを牽いて歩く際に動くキャスタ、サイドハンドル（把持部）、及び底足等から構成されている。
【０００３】
近年、特に同時多発テロ事件後のアメリカ国内の空港においては、手荷物検査が厳重化されており、キャリーケースを開けて内容物を検査することが行われているため、これに合わせてキャリーケースなどの鞄にもＴＳＡロックの採用が多くなっている。ＴＳＡロックには１１種類のマスターキーが存在し、キャリーケースの持ち主が自分の鍵（ユーザキー）で施錠してあっても、ＴＳＡ（米国運輸保安庁）職員が専用の合鍵（マスターキー）を使って解錠することができる。
【先行技術文献】
【特許文献】
【０００４】
【特許文献１】実用新案登録第３２０４２４３号公報
【考案の概要】
【考案が解決しようとする課題】
【０００５】
鍵を使って施錠・解錠する形式のキャリーケース用施錠装置においては、肝心の鍵を持ち合わせていないことや、一時的に紛失してしまうことがある。キャリーケースの持ち主がユーザーキーを持ち合わせていない場合にも施錠・解錠することができるように、指紋認証によりキャリーケースの施錠と解錠をすることができる指紋認証ロックを備えたキャリーケース用施錠装置があるとよい。
【０００６】
また、指紋認証による施錠をマスターキーやユーザーキーを使って解錠することができるように、ＴＳＡロックと指紋認証ロックとが連関して構成されているとよい。
【課題を解決するための手段】
【０００７】
本考案の一実施例においては、キャリーケース用施錠装置において、マスターキー又はユーザーキーで施錠・解錠可能に構成されたＴＳＡロックであって、鍵穴を有するＴＳＡロックと、指紋認証により施錠・解錠可能に構成された指紋認証ロックであって、指紋認証窓及び指紋認証センサを有する指紋認証ロックと、を備え、指紋認証センサは、指紋認証窓に人の手指が当接したときにその指紋を読み取るように構成されていることを特徴とする、キャリーケース用施錠装置を提供する。
【０００８】
さらには、指紋認証による施錠をマスターキーと鍵穴を使って解錠することができるように、ＴＳＡロックと指紋認証ロックとが連関して構成されていることを特徴とする。
【０００９】
また、指紋認証による施錠をユーザーキーと鍵穴を使って解錠することができるように、ＴＳＡロックと指紋認証ロックとが連関して構成されていることを特徴とする。
【図面の簡単な説明】
【００１０】
【図１】キャリーケースの斜視図及びこれの２点破線内を拡大して示す図。
【図２】キャリーケースの斜視図及びこれの２点破線内を拡大して示す図。
【図３】キャリーケース用施錠装置の一部を断面で示す図。
【図４】キャリーケースの内側に配置された施錠装置面を示す図。
【図５】キャリーケースの斜視図及びこれの２点破線内を拡大して示す図。
【考案を実施するための形態】
【００１１】
本考案のキャリーケース用施錠装置について、添付の図面を参照しつつ説明する。
【００１２】
本考案のキャリーケース用施錠装置９が設けられるキャリーケース１として、身側シェルと蓋側シェルとをジッパーで開閉する形式のキャリーケース１について説明するが、ラッチで開閉する型式のキャリーケース１にも設けられ得ることを理解されたい。
【００１３】
図１は、一実施例におけるキャリーケース１を示す斜視図（左側図）及びこれの２点破線内のキャリーケース用施錠装置９を拡大して示す図（右側図）である。キャリーケース１は、使用者がスライダ２ａのジッパー引手２ｂを操作してジッパー２を開閉することができるように構成されている。また、身側シェル３と蓋側シェル４とを施錠・解錠する際に使用されるキャリーケース用施錠装置９が蓋側シェル４に設置されている。図１に示されるキャリーケース用施錠装置９においては、ＴＳＡロックの施錠・解錠用キー（マスターキー又はユーザーキー）を差し込むための鍵穴１０を視認することができる。さらには、指紋認証窓１２を遮蔽することができるように構成された蓋体１１が設けられていることを特徴とする。
【００１４】
図２は、キャリーケース１の斜視図（左側図）及びこれの２点破線内を拡大して示す図（右側図）である。図２に示されるように、一実施例においては、スライド式の蓋体１１を摺動させることにより、指紋認証窓１２及びインジケータ用ＬＥＤ１３が露出するように構成されている。露出した指紋認証窓１２に人の手指を当接させると、指紋認証センサ（図示せず）が作動して、その指紋を読み取り、記憶するように構成されている。
【００１５】
図３は、キャリーケース用施錠装置９が設けられたキャリーケース１の一部を断面で示す図である。図３に示される実施例においては、キャリーケース１の蓋側シェル４の表側に、指紋認証窓１２を遮蔽することができるように構成された蓋体１１が設けられている。また、蓋側シェル４の裏側に、指紋認証についてのリセットボタン１５と駆動用電源用の電源ボックス１６（図４を参照）が設けられている。
【００１６】
指紋認証による施錠・解錠方法について説明すると、キャリーケース１内に配置されているリセットボタン１５（図４を参照）を押すことにより指紋認証ロックが作動する。また、作動している指紋認証ロックの作動を解除するときには、同じリセットボタン１５を押すことにより解除される。他の実施例においては、身側シェル３又は蓋側シェル４の表側にリセットボタン１５が配置される場合もある。
【００１７】
キャリーケース１の身側シェル３と蓋側シェル４とを施錠・解錠するための指紋認証を使用するときの指紋登録の一実施例について詳しく説明する。最初に、キャリーケース用施錠装置９のリセットボタン１５（図４を参照）を押す。これによりインジケータ用ＬＥＤ１３が赤色点灯し、続いて消灯し、その後に青色点灯する。次に、指紋認証窓１２に指を軽く当てる。これにより、インジケータ用ＬＥＤ１３が青色点滅し、続いて消灯する。この操作で指紋登録が完了する。他の実施例においては、他の指紋登録の手順に則り、他の色に点滅し又は点灯する場合もある。
【００１８】
一実施例においては、指紋登録を解除するために、キャリーケース用施錠装置９のリセットボタン１５（図４を参照）を押す。これによりインジケータ用ＬＥＤ１３が青色点滅し、続いて青色点灯し、その後に青色消灯する。この操作により指紋登録が解除される。他の実施例においては、他の色に点滅し又は点灯する場合もある。
【００１９】
図５は、キャリーケース１の斜視図（左側図）及びこれの２点破線内に示されるキャリーケース用施錠装置９を拡大して示す図（右側図）である。左側図は、キャリーケース用施錠装置９のロックが解錠され、ジッパー２が開かれ始めているときを示している。
【００２０】
キャリーケース用施錠装置９のロック解錠操作により、掛止め孔１４によって施錠されていたスライダ２ａのジッパー引手２ｂのロック状態が解除されて、掛止め孔１４からジッパー引手２ｂを取り出すことができる。使用者が、掛止め孔１４から取り出されたジッパー引手２ｂを操作してスライダ２ａを動かすことによって、ジッパー２が開き、身側シェル３と蓋側シェル４との係合が解除されて、キャリーケース１が開かれる。
【００２１】
一実施例においては、指紋認証ロックの指紋認証窓１２及び指紋認証センサを駆動するためのバッテリー残量が少なくなったときに、インジケータ用ＬＥＤ１３が点滅して、或いは変色して知らせるように構成されている場合もある。
【００２２】
指紋認証後に、指紋認証による施錠を解錠するために、ＴＳＡロックの鍵穴１０を使用する場合には、鍵穴１０にマスターキー又はユーザーキー（図示せず）を差し込み、時計回り又は反時計回りの解錠方向に回すことにより行う。
【００２３】
以上のように、本考案のキャリーケース用施錠装置９によれば、指紋認証によりキャリーケース１の施錠と解錠をすることができる。従って、使用者が、ユーザーキーを持ち合わせていない場合や、一時的に紛失してしまった場合にも、施錠と解錠をすることができる。さらなる実施例においては、指紋認証後に、指紋認証を行った当事者の代わりに家族の者などがキャリーケース１を開ける必要が生じた場合に、ユーザーキー（又はマスターキー）で指紋認証による施錠を解錠することができるように構成されている。
【符号の説明】
【００２４】
１…キャリーケース
２…ジッパー
２ａ…スライダ
２ｂ…ジッパー引手
２ｃ…リング部
３…身側シェル
４…蓋側シェル
５…キャスタ
６…キャリーハンドル
７…サイドハンドル
８…サイドハンドル
９…キャリーケース用施錠装置
１０…（ＴＳＡロックの）鍵穴
１１…スライド式の蓋体
１２…（指紋認証ロックの）指紋認証窓
１３…インジケータ用ＬＥＤ
１４…掛止め孔
１５…リセットボタン
１６…電源ボックス
【図１】
0003214831.tif 000003
【図２】
0003214831.tif 000004
【図３】
0003214831.tif 000005
【図４】
0003214831.tif 000006
【図５】
0003214831.tif 000007